(57)【特許請求の範囲】
【請求項１】
デジタルＡＶ信号を出力する第１のＡＶ機器を、第１のＡＶライン、第１の双方向バスライン、第１のパワーオンライン及び第１のホットプラグラインを介して接続する第１のポートと、
デジタルＡＶ信号を出力する第２のＡＶ機器を、第２のＡＶライン、第２の双方向バスライン、第２のパワーオンライン及び第２のホットプラグラインを介して接続する第２のポートと、
前記第１のＡＶ機器から前記第１のＡＶラインを介して供給されるデジタルＡＶ信号と前記第２のＡＶ機器から前記第２のＡＶラインを介して供給されるデジタルＡＶ信号とを選択的に切り替える切替手段と、
前記切替手段で選択されたデジタルＡＶ信号に基づいて画像表示を行なう表示手段と、
前記第１及び第２のＡＶ機器のいずれかの主電源がオンされることにより、その主電源がオンされたＡＶ機器に対応するパワーオンラインが、ノンアクティブからアクティブに変化したことを検出する検出手段と、
前記検出手段でノンアクティブからアクティブに変化したことが検出されたパワーオンラインに対応するＡＶ機器より供給されるデジタルＡＶ信号を、前記表示手段での画像表示に供させるように前記切替手段を制御する制御手段とを具備してなることを特徴とするデジタルＡＶ装置。
【請求項２】
デジタルＡＶ信号を出力する第１のＡＶ機器を、第１のＡＶライン、第１の双方向バスライン、第１のパワーオンライン及び第１のホットプラグラインを介して接続する第１のポートと、
デジタルＡＶ信号を出力する第２のＡＶ機器を、第２のＡＶライン、第２の双方向バスライン、第２のパワーオンライン及び第２のホットプラグラインを介して接続する第２のポートと、
画像表示機能を備えた第３のＡＶ機器を、第３のＡＶライン、第３の双方向バスライン、第３のパワーオンライン及び第３のホットプラグラインを介して接続する第３のポートと、
前記第１のＡＶ機器から前記第１のＡＶラインを介して供給されるデジタルＡＶ信号と前記第２のＡＶ機器から前記第２のＡＶラインを介して供給されるデジタルＡＶ信号とを選択的に切り替え、前記第３のＡＶラインを介して前記第３のＡＶ機器に供給して画像表示に供させる切替手段と、
前記第１及び第２のＡＶ機器のいずれかの主電源がオンされることにより、その主電源がオンされたＡＶ機器に対応するパワーオンラインが、ノンアクティブからアクティブに変化したことを検出する検出手段と、
前記検出手段でノンアクティブからアクティブに変化したことが検出されたパワーオンラインに対応するＡＶ機器より供給されるデジタルＡＶ信号を、前記第３のＡＶ機器に供給して画像表示に供させるように前記切替手段を制御する制御手段とを具備してなることを特徴とするデジタルＡＶ装置。
【請求項３】
前記制御手段は、前記第１のＡＶ機器の主電源がオンされ前記第１のパワーオンラインがアクティブになされている状態で、前記第２のＡＶ機器の主電源がオンされて前記第２のパワーオンラインがノンアクティブからアクティブに変化したことが前記検出手段で検出されたとき、前記第１のＡＶ機器に対して主電源をオフさせるように制御し、前記第１のパワーオンラインをアクティブからノンアクティブにさせることを特徴とする請求項１または２記載のデジタルＡＶ装置。
【請求項４】
前記制御手段は、前記第１のホットプラグラインをアクティブからノンアクティブにすることにより、前記第１のＡＶ機器に対して主電源をオフにさせるように制御することを特徴とする請求項３記載のデジタルＡＶ装置。
【請求項５】
前記制御手段は、ノンアクティブからアクティブに変化したことが前記検出手段で検出されたパワーオンラインに対応するホットプラグラインをノンアクティブからアクティブにすることにより、ノンアクティブからアクティブに変化したことが前記検出手段で検出されたパワーオンラインに対応するＡＶ機器に対してデジタルＡＶ信号の伝送を開始させるように制御することを特徴とする請求項１または２記載のデジタルＡＶ装置。
【請求項６】
デジタルＡＶ信号を出力する第１のＡＶ機器を、第１のＡＶライン、第１の双方向バスライン、第１のパワーオンライン及び第１のホットプラグラインを介して接続する第１のポートと、
画像表示機能を備えた第２のＡＶ機器を、第２のＡＶライン、第２の双方向バスライン、第２のパワーオンライン及び第２のホットプラグラインを介して接続する第２のポートと、
自己の主電源がオンのときデジタルＡＶ信号を出力する出力手段と、
前記出力手段から出力されるデジタルＡＶ信号と前記第１のＡＶ機器から前記第１のＡＶラインを介して供給されるデジタルＡＶ信号とを選択的に切り替え、前記第２のＡＶラインを介して前記第２のＡＶ機器に供給して画像表示に供させる切替手段と、
自己の主電源がオフからオンに変化したことと、前記第１のＡＶ機器の主電源がオンされることにより前記第１のパワーオンラインがノンアクティブからアクティブに変化したこととを検出する検出手段と、
前記検出手段で自己の主電源がオフからオンに変化したことが検出されたとき、前記出力手段から出力されるデジタルＡＶ信号を、前記第２のＡＶ機器に供給して画像表示に供させるように前記切替手段を制御し、前記検出手段で前記第１のパワーオンラインがノンアクティブからアクティブに変化したことが検出されたとき、前記第１のＡＶ機器より供給されるデジタルＡＶ信号を、前記第２のＡＶ機器に供給して画像表示に供させるように前記切替手段を制御する制御手段とを具備してなることを特徴とするデジタルＡＶ装置。
【請求項７】
前記制御手段は、自己の主電源がオンされ前記出力手段からデジタルＡＶ信号が出力されている状態で、前記第１のＡＶ機器の主電源がオンされて前記第１のパワーオンラインがノンアクティブからアクティブに変化したことが前記検出手段で検出されたとき、自己の主電源をオフさせるように制御することを特徴とする請求項６記載のデジタルＡＶ装置。
【請求項８】
デジタルＡＶ信号を出力する第１のＡＶ機器を、第１のＡＶライン、第１の双方向バスライン、第１のパワーオンライン及び第１のホットプラグラインを介して接続する第１のポートと、
デジタルＡＶ信号を出力する第２のＡＶ機器を、第２のＡＶライン、第２の双方向バスライン、第２のパワーオンライン及び第２のホットプラグラインを介して接続する第２のポートと、
前記第１のＡＶ機器から前記第１のＡＶラインを介して供給されるデジタルＡＶ信号と前記第２のＡＶ機器から前記第２のＡＶラインを介して供給されるデジタルＡＶ信号とを選択的に切り替える切替手段と、
前記切替手段で選択されたデジタルＡＶ信号に基づいて画像表示を行なう表示手段とを備えたデジタルＡＶ装置を制御する方法であって、
前記第１及び第２のＡＶ機器のいずれかの主電源がオンされることにより、その主電源がオンされたＡＶ機器に対応するパワーオンラインが、ノンアクティブからアクティブに変化したことを検出する検出工程と、
前記検出工程でノンアクティブからアクティブに変化したことが検出されたパワーオンラインに対応するＡＶ機器より供給されるデジタルＡＶ信号を、前記表示手段での画像表示に供させるように前記切替手段を制御する制御工程とを具備してなることを特徴とするデジタルＡＶ装置の制御方法。
【請求項９】
デジタルＡＶ信号を出力する第１のＡＶ機器を、第１のＡＶライン、第１の双方向バスライン、第１のパワーオンライン及び第１のホットプラグラインを介して接続する第１のポートと、
デジタルＡＶ信号を出力する第２のＡＶ機器を、第２のＡＶライン、第２の双方向バスライン、第２のパワーオンライン及び第２のホットプラグラインを介して接続する第２のポートと、
画像表示機能を備えた第３のＡＶ機器を、第３のＡＶライン、第３の双方向バスライン、第３のパワーオンライン及び第３のホットプラグラインを介して接続する第３のポートと、
前記第１のＡＶ機器から前記第１のＡＶラインを介して供給されるデジタルＡＶ信号と前記第２のＡＶ機器から前記第２のＡＶラインを介して供給されるデジタルＡＶ信号とを選択的に切り替え、前記第３のＡＶラインを介して前記第３のＡＶ機器に供給して画像表示に供させる切替手段とを備えたデジタルＡＶ装置を制御する方法であって、
前記第１及び第２のＡＶ機器のいずれかの主電源がオンされることにより、その主電源がオンされたＡＶ機器に対応するパワーオンラインが、ノンアクティブからアクティブに変化したことを検出する検出工程と、
前記検出工程でノンアクティブからアクティブに変化したことが検出されたパワーオンラインに対応するＡＶ機器より供給されるデジタルＡＶ信号を、前記第３のＡＶ機器に供給して画像表示に供させるように前記切替手段を制御する制御工程とを具備してなることを特徴とするデジタルＡＶ装置の制御方法。
【請求項１０】
デジタルＡＶ信号を出力する第１のＡＶ機器を、第１のＡＶライン、第１の双方向バスライン、第１のパワーオンライン及び第１のホットプラグラインを介して接続する第１のポートと、
画像表示機能を備えた第２のＡＶ機器を、第２のＡＶライン、第２の双方向バスライン、第２のパワーオンライン及び第２のホットプラグラインを介して接続する第２のポートと、
自己の主電源がオンのときデジタルＡＶ信号を出力する出力手段と、
前記出力手段から出力されるデジタルＡＶ信号と前記第１のＡＶ機器から前記第１のＡＶラインを介して供給されるデジタルＡＶ信号とを選択的に切り替え、前記第２のＡＶラインを介して前記第２のＡＶ機器に供給して画像表示に供させる切替手段とを備えたデジタルＡＶ装置を制御する方法であって、
自己の主電源がオフからオンに変化したことと、前記第１のＡＶ機器の主電源がオンされることにより前記第１のパワーオンラインがノンアクティブからアクティブに変化したこととを検出する検出工程と、
前記検出工程で自己の主電源がオフからオンに変化したことが検出されたとき、前記出力手段から出力されるデジタルＡＶ信号を、前記第２のＡＶ機器に供給して画像表示に供させるように前記切替手段を制御し、前記検出工程で前記第１のパワーオンラインがノンアクティブからアクティブに変化したことが検出されたとき、前記第１のＡＶ機器より供給されるデジタルＡＶ信号を、前記第２のＡＶ機器に供給して画像表示に供させるように前記切替手段を制御する制御工程とを具備してなることを特徴とするデジタルＡＶ装置の制御方法。
【発明の詳細な説明】
【０００１】
【発明の属する技術分野】
この発明は、デジタルＡＶ（Audio Video）伝送線路で結合されたデジタルＡＶ装置及びその制御方法に関する。さらに詳しくは、デジタルＡＶ伝送線路と双方向通信バスとパワーオンラインとホットプラグインとが組み合わさった伝送線路を用いてのデジタルＡＶ装置間の信号伝送とその制御に関する。
【０００２】
【従来の技術】
周知のように、例えばテレビジョン放送受信機等の画像表示機器を含む複数のＡＶ機器を接続し、各機器相互間でのデータ伝送や制御等を行なうことに関係する従来の技術として、以下に述べる５種類のタイプが例示される。
【０００３】
すなわち、従来例１［自動入力切換回路（特開平５−１１０９６２号公報）］、従来例２［ディスプレイシステム（特許第２６３５８３７号公報）、ディスプレイ装置（特許第２８１５３３９号公報）］、従来例３［双方向テレビジョン受信装置（特開平１１−１６３８７７号公報）］、従来例４［共通コネクターを具えた電子機器（特開２０００−２２４４５０号公報）］及び従来例５［画像表示方法、画像表示システム、ホスト装置、画像表示装置、およびデスプレイ用インターフェイス（特開２００１−１６６９１２号公報）、画像表示システム、ホスト装置、画像表示装置、および画像表示方法（特開２００１−１６６７６１号公報）］である。
【０００４】
まず、従来例１には、ＴＶ（Television）本体の前面及び後面に設けた映像・音響機器の外部入力端子において、入力信号を規定の優先順位にしたがって自動的に切り換えることが開示されている。
【０００５】
その構成は、図９に示すように、ＴＶ本体の前面及び後面に入力部１１及び入力部１２を設けている。信号切換部１３は、各入力部１１，１２からの信号を、規定の優先順位で切り換えて信号処理回路に供給している。前面の入力部１２にプラグが挿入されると、信号切換部１３がこの状態を検出して、入力部１１の接続の有無にかかわらず自動的に入力部１２の信号をＴＶ本体の信号処理回路に導くように切り換えられる。
【０００６】
この従来例１では、ＴＶ本体の各入力部に接続される機器内配線を短くし、各信号のクロストークを解消することを目的とする。また、この従来例１では、前面または後面の信号により、切換スイッチを手動で切り換えるという煩わしい操作を解消する自動入力切換回路を提供することを目的としている。
【０００７】
図９において、入力部１１は、ＴＶ本体の後面に設けられ、ＡＶ機器等からの複合映像信号［Ｖ（Video）信号］を入力する入力部であり、例えば２端子のジャックとしている。同じく、入力部１２は、ＴＶ本体の前面に設けられ、Ｖ信号等を入力する入力部であり、スイッチ機能を有する３端子を有するジャックである。通常、入力部１２の端子１２ａ，１２ｂは閉成しており、端子１２ｃは接地されている。端子１１ａ，１２ａは、それぞれ抵抗Ｒ４，Ｒ５を介して接地されている。
【０００８】
一方、信号切換部１３は、ＴＶ本体に設けられた電子スイッチである。この信号切換部１３は、アナログのスイッチ１４，１５，１６と、これらのスイッチの開閉を制御する制御端子１７，１８を有している。制御端子１７がＨ（High）レベルになると、スイッチ１４の入力端１４ａ及び出力端１４ｂは閉成される。また、制御端子１８がＨレベルになると、スイッチ１５の入出力端１５ａ，１５ｂとスイッチ１６の入出力端１６ａ，１６ｂも閉成される。
【０００９】
制御端子１７及び入力端１５ａは、プルアップ抵抗Ｒ６を介して電源に接続され、同じく制御端子１８はプルアップ抵抗Ｒ７を介して電源に接続されている。なお、抵抗Ｒ７の抵抗値は、抵抗Ｒ５より大きいものとする。また、入力端１４ａは、入力部１１の端子１１ａに接続され、入力端１６ａは、入力部１２の端子１２ａに接続されている。
【００１０】
一方、信号切換部１３の出力端１４ｂ，１６ｂは、共にＴＶ本体の信号処理回路に接続され、出力端１５ｂは接地されている。この信号切換部１３は、例えばＣＭＯＳ（Complementary Metal Oxide Semiconductor）構造のアナログスイッチで構成されている。
【００１１】
上記のように構成された自動入力切換回路の動作について説明する。後面の入力部１１にのみ信号が入力されている場合、前面の入力部１２の端子１２ａ，１２ｂが閉成しており、制御端子１８の入力はＬ（Low）レベルとなる。一方、制御端子１７の入力はＨレベルとなり、スイッチ１４だけが閉成状態となる。このため、入力部１１に入力された信号は、スイッチ１４を介して信号処理回路に供給される。
【００１２】
次に、入力部１２にプラグを接続する場合を考える。このとき、入力部１２の端子１２ａ，１２ｂは開放状態となり、制御端子１８はＨレベルとなる。このため、スイッチ１５，１６が閉成状態となり、制御端子１７の入力がＬレベルとなる。このため、スイッチ１４は開放状態となり、入力部１１の端子１１ａは信号処理回路と遮断される。したがって、入力部１２に入力された信号は、入力部１１の信号の有無にかかわらず、優先的に信号処理回路に供給される。
【００１３】
また、上記従来例２は、限定なしの各種ディスプレイ装置と潜在的に互換性のあるディスプレイアダプタを有するディスプレイシステムを提供することを目的としている。
【００１４】
そして、図１０に示すように、ディスプレイ装置８８と、ディスプレイアダプタ９２と、両者を接続する出力ポート９４とを含むディスプレイシステムが、さらに、ディスプレイ装置８８に配置され、複数の制御コードの形式で制御データを記憶する持久記憶装置９と、ディスプレイアダプタ９２によって発生した指令信号に応答して記憶装置９と出力ポート９４との間で制御コードを通信する通信ロジック９５とを含むことを特徴としている。
【００１５】
この通信ロジック９５は、ディスプレイ装置８８と出力ポート９４との間で制御コードを通信するシリアルリンク３と、ディスプレイ装置８８に配置され、記憶装置９とシリアルリンク３との間で制御コードを通信する装置ロジック９７と、ディスプレイアダプタ９２に配置され、シリアルリンク３とディスプレイアダプタ９２との間で制御コードを通信するアダプタロジック９６とを含んでいる。
【００１６】
また、上記従来例３は、図１１に示されるように、サーバからＳＴＵ（Set Top Unit）に送信されたデータのネットワークユニットへの転送を可能にする双方向テレビジョン受信装置に関するものである。
【００１７】
すなわち、この従来例３の発明以前では、サーバからＳＴＵに大容量のデータをダウンロードする場合、ＳＴＵでは、ネットワーク上から受け取ったデータを必ず第２のメモリに格納する。このため、第２のメモリから第１のメモリにデータを転送する必要が発生するが、公的規格の規定するレベルＢの構成では、第２のメモリから第１のメモリにデータ転送を行なう経路を規定しておらず、データ転送ができないという問題点があった。
【００１８】
従来例３の発明は、このような問題点を解決するためになされたもので、サーバから大容量のアプリケーションをダウンロードする必要が発生した場合において、サーバから送信されて第２のメモリに格納されたアプリケーションデータを第１のメモリに転送することを可能にする双方向テレビジョン受信装置を得ることを目的としている。
【００１９】
この従来例３に係る双方向テレビジョン受信装置においては、情報を蓄積したサーバから送信されてくるアプリケーションソフト等の大容量の情報が、一旦第２のメモリに蓄えられ、再び第１のメモリに転送される場合、情報が一度ＡＴＭ（Asynchronous Transfer Mode）セルに変換され、ＡＴＭセルバスを経由してＡＴＭセル／データ変換部に送信された後、簡易なＡＴＭデータ組み立て手順でＡＴＭセルからデータに変換され、第１のマイクロプロセッサの制御により第１のメモリに転送されて格納されるように構成している。
【００２０】
第１のメモリは、入出力ポートを２つ有するメモリであってもよく、ＡＴＭセル／データ変換部から第１のメモリへのデータ転送専用経路を備え、第２のメモリに蓄えられた情報が第１のメモリに転送される場合、第１のマイクロプロセッサの介在なしに、ＡＴＭセル／データ変換部から第１のメモリにデータ転送専用経路を用いてデータ転送が行なわれ、格納されるように構成されている。
【００２１】
また、第２のメモリに蓄えられた情報が第１のメモリに転送される場合、第２のＩ２Ｃ（Inter Integrated Circuit）コントローラ及びＩ２Ｃバスを経由し第１のＩ２Ｃコントローラを通してＩ２Ｃ転送手順でデータが送信され、第１のマイクロプロセッサに制御されて第１のメモリに転送され、格納されるように構成している。
【００２２】
また、上記従来例４は、図１２に示すように、ＵＳＢ（Universal Serial Bus）コネクタに接続されたホストコンピュータ２とデータ通信を行なうＡＳＩＣ（Application Spacific Integrated Circuit）４と、マイクロコンピュータ３と、一方のデータライン４１に接続されたプルアップ抵抗８と、電源回路５とを備え、スリープモードの設定が可能なデジタルカメラ１において、ホストコンピュータ２の電源出力端子２３を接続すべき電源入力端子１３と、プルアップ抵抗８への電力供給をオン／オフするオン／オフスイッチ７とを備え、マイクロコンピュータ３は、スリープモードが設定されているときはオン／オフスイッチ７をオフとする一方、電源入力端子１３に電源出力端子２３が接続された状態が検出されたとき、スリープモードを解除するとともに、オン／オフスイッチ７をオンに切り換える。
【００２３】
この従来例４に係る電子機器は、複数台の周辺機器を共通に接続することが可能な共通コネクタを備えるとともに、この共通コネクタに接続された情報処理機器とデータ通信を行なって所定の機能を発揮すべきデータ処理回路と、このデータ処理回路の動作を制御する制御回路と、データ処理回路と共通コネクタとの間を繋ぐ一対の正負データラインのうち、一方のデータラインに接続されたプルアップ抵抗と、データ処理回路、制御回路及びプルアップ抵抗に電力を供給すべき電源回路とを備えている。
【００２４】
また、電源回路から制御回路に必要な電力を供給するとともに、データ処理回路への電力供給を制限して、その一部もしくは全部の機能を停止させるスリープモードの設定が可能である。
【００２５】
この従来例４に係る電子機器は、さらに、情報処理機器に設けられた電源出力端子を接続すべき電源入力端子と、この電源入力端子に電源出力端子が接続された状態を検出する接続検出手段と、電源回路からプルアップ抵抗への電力の供給をオン／オフするオン／オフ手段とを備え、制御回路は、スリープモードが設定されている期間はオン／オフ手段をオフとする。また、上記接続検出手段によって接続状態が検出されたとき、スリープモードが設定されている場合はスリープモードを解除するとともに、オン／オフ手段をオン状態に切り換えることを特徴としている。
【００２６】
また、上記従来例５には、ホストからディスプレイに大容量の画像データの転送する方法と、その伝送路を用いて逆の方向に小容量データを伝送する実現方法とが提示されており、デジタルＡＶ信号の伝送と双方向通信バスの利用方法とが開示されている。
【００２７】
【発明が解決しようとする課題】
まず、従来例１では、入力部１１に機器が新たに接続されたとしても、入力部１２に機器が接続されていれば、入力部１２の機器のみ選択される構成である。また、入力部１２の端子側機器の映像や音声信号を伝送し出力端１６に出力するにあたって、出力端１６の出力を受け処理する信号処理回路等の電源を操作してはいない。また、受け側が、入力部１２の機器に優先して入力部１１の機器を選択するように切り換えができず、まして、受け側が、入力部１１，１２に接続された機器の電源やその他の操作を行なうことができない。
【００２８】
また、従来例２では、従来例１の場合と同様に、ディスプレイ装置８８側の命令でディスプレイアダプタ９２側の制御を行なうことができず、例えばＤＶＤ（Digital Versatile Disk）プレーヤが接続されたＴＶ側で、ＤＶＤプレーヤを操作することができない。
【００２９】
さらに、例えば、ＡＶデータの伝送にあたっては、その著作権保護のためにスクランブル処理が施される場合があり、このスクランブル処理を従来例２に当てはめて説明すると、ディスプレイアダプタ９２側のスクランブルキーとディスプレイ装置８８側のスクランブルキーとを共通値となすための認証やキー値の検査がディスプレイアダプタ９２の命令で行なわれ、この場合、ディスプレイアダプタ９２とそれにシリアルリンク３を介して接続されたディスプレイ装置８８との各々のスクランブル回路が、ある規定期間毎に通信制御される。
【００３０】
このような認証や検査は、ある規定時間内に処理を終了しなければならない場合が多く、例えばディスプレイアダプタ９２と接続されたディスプレイ装置８８側でディスプレイアダプタ９２の操作を行なうとすると、ディスプレイアダプタ９２側で行なわれている認証処理を遅延させたりできない問題が発生する。
【００３１】
また、従来例３では、双方向バスを切り換えてはいるが、例えば１つの受信装置と２つの入力ソースとをそれぞれ選択的に双方向結合するようなバスの切り換えができるわけではない。さらに、従来例４では、電子スチルカメラの操作によって、ホスト側の電源等の制御を行なうことはできない。
【００３２】
そして、従来例５では、双方向通信バスを用いて、表示装置側からホスト側にデータを送り、画像伝送の同期をとる方法が示されているが、従来例２で述べたのと同様に、例えばＡＶデータの伝送にあたってその著作権保護のためにスクランブル処理が施される場合があり、このスクランブル処理を従来例５に当てはめて説明すると、ホスト側のスクランブルキーとパネル側のスクランブルキーとを共通値となすための認証やキー値の検査がホスト側の命令で行なわれ、この場合、ホスト側とそれに双方向通信ラインであるＤＤＣラインを介して接続されたパネル側との各々のスクランブル回路が、ある規定期間毎に通信制御される。
【００３３】
このような認証や検査は、ある規定時間内に処理を終了しなければならない場合が多く、例えばホスト側と接続されたパネル側でホスト側の操作を行なうとすると、ホスト側で行なわれている認証処理を遅延させたりできない問題が発生する。
【００３４】
そこで、この発明は上記事情を考慮してなされたもので、画像表示機能を有する機器を含む複数のＡＶ機器を接続し、画像表示機能を有するＡＶ機器と他のＡＶ機器との相互間で電源やデータ転送等を制御可能として、ユーザの利便性を向上させ得るようにした極めて良好なデジタルＡＶ伝送線路で結合されたデジタルＡＶ装置及びその制御方法を提供することを目的とする。
【００３５】
具体的に言えば、例えば、ＤＶＤプレーヤとＳＴＢ（Set Top Box）とをＴＶ受信機に接続したシステムにおいて、ＴＶ受信機の主電源がオフの状態でユーザがＤＶＤプレーヤを再生操作した場合に、ＴＶ受信機の電源が自動的に投入されるとともに、ＴＶ受信機とＤＶＤプレーヤとが自動的に接続状態になるように制御して、ユーザの利便性を向上させるようにしている。
【００３６】
また、逆に、例えば、ＤＶＤプレーヤとＳＴＢとをＴＶ受信機に接続したシステムにおいて、ＳＴＢの主電源がオフの状態で、ユーザがＴＶ受信機の電源をオンにするとともに、ＴＶ受信機とＳＴＢとを接続するように切り換えた場合に、ＳＴＢの電源が自動的に投入されるように制御して、ユーザの利便性を向上させるようにしている。
【００３７】
さらに、上記した従来例３のように、ディスプレイアダプタ９２の命令で、シリアルリンク３を介してディスプレイ装置８８の記憶装置９に制御コードを通信することだけでなく、ＴＶ受信機（ディスプレイ装置）側の命令で、例えば接続されたＳＴＢのチャンネルを変更する等、ユーザがＴＶ受信機側の操作のみでＳＴＢ等を操作できるように制御して、ユーザの利便性を向上させるようにしている。
【００３８】
上記のような制御を実施するにあたって、ＤＶＤプレーヤとＴＶ受信機とを接続するデジタル伝送線路、ＳＴＢとＴＶ受信機とを接続するデジタル伝送線路、ＤＶＤプレーヤを介してＳＴＢとＴＶ受信機とを接続するデジタル伝送線路等に対しては、ＬＤＶＳやＴＭＤＳ等の技術を用いた伝送線路規格が用いられる。
【００３９】
また、上記した各デジタル伝送線路を用いたデータ伝送時における著作権保護のためのスクランブル処理方法と、その共通鍵を得る認証手続とには、ＨＤＣＰ（High−Banwidth Digital Copy Protection）の技術を用いた伝送線路規格が用いられる。
【００４０】
【課題を解決するための手段】
この発明に係るデジタルＡＶ装置は、デジタルＡＶ信号を出力する第１のＡＶ機器を、第１のＡＶライン、第１の双方向バスライン、第１のパワーオンライン及び第１のホットプラグラインを介して接続する第１のポートと、デジタルＡＶ信号を出力する第２のＡＶ機器を、第２のＡＶライン、第２の双方向バスライン、第２のパワーオンライン及び第２のホットプラグラインを介して接続する第２のポートと、第１のＡＶ機器から第１のＡＶラインを介して供給されるデジタルＡＶ信号と第２のＡＶ機器から第２のＡＶラインを介して供給されるデジタルＡＶ信号とを選択的に切り替える切替手段と、切替手段で選択されたデジタルＡＶ信号に基づいて画像表示を行なう表示手段と、第１及び第２のＡＶ機器のいずれかの主電源がオンされることにより、その主電源がオンされたＡＶ機器に対応するパワーオンラインが、ノンアクティブからアクティブに変化したことを検出する検出手段と、検出手段でノンアクティブからアクティブに変化したことが検出されたパワーオンラインに対応するＡＶ機器より供給されるデジタルＡＶ信号を、表示手段での画像表示に供させるように切替手段を制御する制御手段とを備えるようにしたものである。
【００４１】
また、この発明に係るデジタルＡＶ装置の制御方法は、デジタルＡＶ信号を出力する第１のＡＶ機器を、第１のＡＶライン、第１の双方向バスライン、第１のパワーオンライン及び第１のホットプラグラインを介して接続する第１のポートと、デジタルＡＶ信号を出力する第２のＡＶ機器を、第２のＡＶライン、第２の双方向バスライン、第２のパワーオンライン及び第２のホットプラグラインを介して接続する第２のポートと、第１のＡＶ機器から第１のＡＶラインを介して供給されるデジタルＡＶ信号と第２のＡＶ機器から第２のＡＶラインを介して供給されるデジタルＡＶ信号とを選択的に切り替える切替手段と、切替手段で選択されたデジタルＡＶ信号に基づいて画像表示を行なう表示手段とを備えたデジタルＡＶ装置を制御する方法を対象としている。そして、第１及び第２のＡＶ機器のいずれかの主電源がオンされることにより、その主電源がオンされたＡＶ機器に対応するパワーオンラインが、ノンアクティブからアクティブに変化したことを検出する検出工程と、検出工程でノンアクティブからアクティブに変化したことが検出されたパワーオンラインに対応するＡＶ機器より供給されるデジタルＡＶ信号を、表示手段での画像表示に供させるように切替手段を制御する制御工程とを備えるようにしたものである。
【００４２】
上記のような構成及び方法によれば、画像表示機能を有する機器を含む複数のＡＶ機器を接続し、画像表示機能を有するＡＶ機器と他のＡＶ機器との相互間で電源やデータ転送等が制御可能となるので、ユーザの利便性を向上させることができる。
【００４３】
【発明の実施の形態】
以下、この発明の第１の実施の形態について図面を参照して詳細に説明する。図１を用いて第１の実施の形態であるデジタル映像・音声信号（以下ＡＶ信号という）の伝送を行なうためのシステム構成を説明する。
【００４４】
ＡＶ信号を送り出す装置（ソース）は、ＤＶＤプレーヤ（ＤＶＤ５）、セットトップボックス（ＳＴＢ６）であり、ＡＶ信号を受け取る装置（シンク）は、ＴＶ受信機（ＴＶ８）である。
【００４５】
ＤＶＤプレーヤ（ＤＶＤ５）とＴＶ受信機（ＴＶ８）との間は、ＡＶ信号を伝送するデジタルＡＶライン（ＡＶ１）と、ＤＶＤプレーヤ（ＤＶＤ５）の送信状態または送信可能状態を示すパワーオンライン（ＰＷ１）と、ＴＶ受信機（ＴＶ８）の受信状態または受信可能状態を示すホットプラグライン（ＨＯＴ１）とで接続されている。
【００４６】
セットトップボックス（ＳＴＢ６）とＴＶ受信機（ＴＶ８）との間は、ＡＶ信号を伝送するデジタルＡＶライン（ＡＶ２）と、セットトップボックス（ＳＴＢ６）の送信状態または送信可能状態を示すパワーオンライン（ＰＷ２）と、ＴＶ受信機（ＴＶ８）の受信状態または受信可能状態を示すホットプラグライン（ＨＯＴ２）とで接続されている。
【００４７】
ＤＶＤプレーヤ（ＤＶＤ５）、セットトップボックス（ＳＴＢ６）、ＴＶ受信機（ＴＶ８）は、それぞれ内蔵されたマイクロコンピュータ１，２，３によって、各々の装置内の状態検出と制御とが行なわれるとともに、上記したパワーオンライン（ＰＷ１，ＰＷ２）とホットプラグライン（ＨＯＴ１，ＨＯＴ２）の状態が検出され、また操作制御されている。
【００４８】
ＤＶＤプレーヤ（ＤＶＤ５）内のマイクロコンピュータ１は、パワーオンライン（ＰＷ１）のレベル状態を制御し、また、ホットプラグライン（ＨＯＴ１）のレベル状態を検出している。そして、主電源１や再生処理回路１等を制御している。この主電源１は、ＤＶＤプレーヤ（ＤＶＤ５）のスリープ機能部分を除いた部分に供給される電源である。
【００４９】
また、ＤＶＤプレーヤ（ＤＶＤ５）内の再生処理回路１で再生されたデジタルＡＶ信号は、デジタルＡＶライン（ＡＶ１）で伝送するための規定の信号形式に変換し送出するトランスミッタ（Ｔｘ１）を介して、デジタルＡＶライン（ＡＶ１）に送出されている。
【００５０】
セットトップボックス（ＳＴＢ６）内のマイクロコンピュータ２は、パワーオンライン（ＰＷ２）のレベル状態を制御し、また、ホットプラグライン（ＨＯＴ２）のレベル状態を検出している。そして、主電源２や受信処理回路２等を制御している。この主電源２は、セットトップボックス（ＳＴＢ６）のスリープ機能部分を除いた部分に供給される電源である。
【００５１】
また、セットトップボックス（ＳＴＢ６）内の受信処理回路２からのデジタルＡＶ信号は、デジタルＡＶライン（ＡＶ２）で伝送するための規定の信号形式に変換し送出するトランスミッタ（Ｔｘ２）を介して、デジタルＡＶライン（ＡＶ２）に送出されている。
【００５２】
ＴＶ受信機（ＴＶ８）内のマイクロコンピュータ３は、各ホットプラグライン（ＨＯＴ１，ＨＯＴ２）を制御し、ＤＶＤプレーヤ（ＤＶＤ５）のデジタルＡＶライン（ＡＶ１）と、セットトップボックス（ＳＴＢ６）のデジタルＡＶライン（ＡＶ２）とを選択するスイッチ（ＳＷ１）を切り換え制御し、各パワーオンライン（ＰＷ１，ＰＷ２）の状態を検出する。
【００５３】
また、ＴＶ受信機（ＴＶ８）は、ＤＶＤプレーヤ（ＤＶＤ５）からデジタルＡＶライン（ＡＶ１）を経由して受信したデジタルＡＶ信号を、デジタルＡＶライン（ＡＶ１）で伝送するための規定の信号形式から元のデジタルＡＶ信号に変換するレシーバ（Ｒｘ１）と、セットトップボックス（ＳＴＢ６）からデジタルＡＶライン（ＡＶ２）を経由して受信したデジタルＡＶ信号を、デジタルＡＶライン（ＡＶ２）で伝送するための規定の信号形式から元のデジタルＡＶ信号に変換するレシーバ（Ｒｘ２）と、スイッチ（ＳＷ１）によって選択されたデジタルＡＶライン（ＡＶ１，ＡＶ２）を介して伝送されてきたデジタルＡＶ信号（ＡＶ３）を表示させるための信号処理回路３及び表示処理回路１とを備えている。
【００５４】
なお、図１では、ＤＶＤプレーヤ（ＤＶＤ５）とセットトップボックス（ＳＴＢ６）との２台のＡＶ機器が、ＴＶ受信機（ＴＶ８）に接続されている例を示したが、ＴＶ受信機（ＴＶ８）に接続されるＡＶ機器の数は３台以上でもよいことはもちろんである。
【００５５】
また、ＴＶ受信機（ＴＶ８）の信号処理回路３や表示処理回路１には、ＴＶ受信機（ＴＶ８）自体が受信した番組の表示と、図１中のＡＶ信号（ＡＶ３）の表示との切り替え機能が、一般のＴＶ受信機と同様に備えられているが、その記載は省略している。
【００５６】
図２は、図１の変形例を示すもので、ＤＶＤプレーヤ（ＤＶＤ５）とセットトップボックス（ＳＴＢ６）とを選択的にＴＶ受信機（ＴＶ８）に切り替え接続するための切替器（ＳＷ１１）を、ＴＶ受信機（ＴＶ８）から分離させた例を示している。
【００５７】
すなわち、図２において、図１と同一部分に同一符号を付して説明すると、このシステムは、ＤＶＤプレーヤ（ＤＶＤ５）、セットトップボックス（ＳＴＢ６）、切替器（ＳＷ１１）及びＴＶ受信機（ＴＶ８）とで構成されている。
【００５８】
ＤＶＤプレーヤ（ＤＶＤ５）と切替器（ＳＷ１１）、セットトップボックス（ＳＴＢ６）と切替器（ＳＷ１１）との各接続は、図１と同様であるのでその説明を省略する。また、ＤＶＤプレーヤ（ＤＶＤ５）とセットトップボックス（ＳＴＢ６）からは、トランスミッタ（Ｔｘ１，Ｔｘ２）の記載は省略している。
【００５９】
ＴＶ受信機（ＴＶ８）は、１つのＡＶ信号端子（ＰＯＲＴ３）のみでデジタルＡＶ信号を受けていて、図１と異なる部分は、デジタルＡＶ信号を切り替えるスイッチ（ＳＷ１）がなく、また、パワーオンライン（ＰＷ３）とホットプラグライン（ＨＯＴ３）が１つづつ存在することである。なお、図２では、ＴＶ受信機（ＴＶ８）にあるレシーバの、また切替器（ＳＷ１１）にあるレシーバの記載は省略している。
【００６０】
切替器（ＳＷ１１）は、ＤＶＤプレーヤ（ＤＶＤ５）のデジタルＡＶライン（ＡＶ１）を伝送されてくるデジタルＡＶ信号と、セットトップボックス（ＳＴＢ６）のデジタルＡＶライン（ＡＶ２）を伝送されてくるデジタルＡＶ信号とを選択するスイッチ（ＳＷ１）を切り替え制御し、選択されたデジタルＡＶ信号をデジタルＡＶライン（ＡＶ３）に出力している。
【００６１】
また、この切替器（ＳＷ１１）は、図１に示したＴＶ受信機（ＴＶ８）での信号処理回路３及び表示処理回路１がなく、デジタルＡＶ信号を送出する端子（ＰＯＲＴ Ｗ）を介してＴＶ受信機（ＴＶ８）のＡＶ信号端子（ＰＯＲＴ３）と接続されている。この場合、パワーオンライン（ＰＷ３）とホットプラグライン（ＨＯＴ３）とが切替器（ＳＷ１１）のマイクロコンピュータ４に接続されていることが追加されている。スイッチ（ＳＷ１）で切り替えられたＡＶ信号（ＡＶ３）は、送り出しのためにトランスミッタが同様に必要であるが、その記載は省略している。
【００６２】
切替器（ＳＷ１１）内のマイクロコンピュータ４は、パワーオンライン（ＰＷ３）とホットプラグライン（ＨＯＴ１，ＨＯＴ２）とを制御し、パワーオンライン（ＰＷ１，ＰＷ２）とホットプラグライン（ＨＯＴ３）の状態を検出し、デジタルＡＶライン（ＡＶ１，ＡＶ２）を選択するスイッチ（ＳＷ１）を切り替え制御する。
【００６３】
図３は、図１の他の変形例を示すもので、ＤＶＤプレーヤ（ＤＶＤ５）とセットトップボックス（ＳＴＢ６）とを選択的にＴＶ受信機（ＴＶ８）に切り替え接続するためのスイッチ（ＳＷ１）を、ＤＶＤプレーヤ（ＤＶＤ５）に内蔵させた例を示している。
【００６４】
すなわち、図３において、図１と同一部分に同一符号を付して説明すると、このシステムは、スイッチ（ＳＷ１）が内蔵されているＤＶＤプレーヤ（ＤＶＤ５）、セットトップボックス（ＳＴＢ６）及びＴＶ受信機（ＴＶ８）とで構成されている。
【００６５】
図２との相違点は、図２では、ＤＶＤプレーヤ（ＤＶＤ５）とスイッチ（ＳＷ１）とが別装置で、デジタルＡＶライン（ＡＶ１）、パワーオンライン（ＰＷ１）及びホットプラグライン（ＨＯＴ１）で結合されていたが、図３では、ＤＶＤプレーヤ（ＤＶＤ５）とスイッチ（ＳＷ１）とが一体となっており、各ライン（ＡＶ１，ＰＷ１，ＨＯＴ１）との結合の端子（ＰＯＲＴ１）はない。その他は、図２と同様である。
【００６６】
図２及び図３においても、ＴＶ受信機（ＴＶ８）の信号処理回路３や表示処理回路１には、ＴＶ受信機（ＴＶ８）自体が受信した番組の表示と、図１中のＡＶ信号（ＡＶ３）の表示との切り替え機能が、一般のＴＶ受信機と同様に備えられているが、その記載は省略している。
【００６７】
ここで、図４を用いて、図２に示した例での切替器（ＳＷ１１）の切り替え動作について説明する。
【００６８】
１．  今、ＤＶＤプレーヤ（ＤＶＤ５）とＴＶ受信機（ＴＶ８）とが切替器（ＳＷ１１）を介して接続され、ＤＶＤプレーヤ（ＤＶＤ５）からの再生出力がＴＶ表示されており、セットトップボックス（ＳＴＢ６）は、主電源２がオフでスリープ状態とする。すなわち、パワーオンライン（ＰＷ１）とパワーオンライン（ＰＷ３）、ホットプラグライン（ＨＯＴ１）とホットプラグライン（ＨＯＴ３）とがアクティブで、パワーオンライン（ＰＷ２）とホットプラグライン（ＨＯＴ２）とがノンアクティブであるとする。
【００６９】
２．  次に、ユーザがあるチャンネル番組を視聴するためにセットトップボックス（ＳＴＢ６）の主電源２をオンにしたとする。図４では、端子（ＰＯＲＴ２）のパワーオンライン（ＰＷ２）がアクティブになる。
【００７０】
３．  そうすると、切替器（ＳＷ１１）のマイクロコンピュータ４は、端子（ＰＯＲＴ２）のパワーオンライン（ＰＷ２）がアクティブになったことを認識し、端子（ＰＯＲＴ Ｗ）のパワーオンライン（ＰＷ３）をノンアクティブとする。
【００７１】
４．  ＴＶ受信機（ＴＶ８）のマイクロコンピュータ３は、端子（ＰＯＲＴ Ｗ）のパワーオンライン（ＰＷ３）がノンアクティブに変化したことを受けて、ホットプラグライン（ＨＯＴ３）を一旦ノンアクティブとした後、再度アクティブにする。
【００７２】
５．  切替器（ＳＷ１１）のマイクロコンピュータ４は、ホットプラグライン（ＨＯＴ３）が一旦ノンアクティブとなった後、再度アクティブになったことを認識して、端子（ＰＯＲＴ２）のホットプラグライン（ＨＯＴ２）をアクティブとする。この場合、切替器（ＳＷ１１）のマイクロコンピュータ４は、同時に、スイッチ（ＳＷ１）を接点ｂ側に切り替え、端子（ＰＯＲＴ１）のホットプラグライン（ＨＯＴ１）をノンアクティブとし、端子（ＰＯＲＴ Ｗ）のパワーオンライン（ＰＷ３）をアクティブとする。
【００７３】
６．  ＤＶＤプレーヤ（ＤＶＤ５）のマイクロコンピュータ１は、端子（ＰＯＲＴ Ｄ）のホットプラグライン（ＨＯＴ１）がノンアクティブであることを検出して、主電源１をオフにして、パワーオンライン（ＰＷ１）をノンアクティブにする。なお、主電源１をオフにして、パワーオンライン（ＰＷ１）をノンアクティブにすることを任意であるが、次に、ＴＶ受信機（ＴＶ８）側にアクティブになったことを知らせるためには、パワーオンライン（ＰＷ１）をアクティブにすることの準備が必要となる。
【００７４】
７．  セットトップボックス（ＳＴＢ６）のマイクロコンピュータ２は、端子（ＰＯＲＴ Ｓ）のホットプラグライン（ＨＯＴ２）がアクティブであることを検出し、デジタルＡＶ信号の伝送を開始する。これは、ホットプラグライン（ＨＯＴ２）をアクティブにした時点で伝送を開始しても良い。
【００７５】
次に、図１に示した例でのスイッチ（ＳＷ１）の切り替え動作について説明する。
【００７６】
１．  今、ＤＶＤプレーヤ（ＤＶＤ５）とＴＶ受信機（ＴＶ８）とが接続され、ＤＶＤプレーヤ（ＤＶＤ５）からの再生出力がＴＶ表示されており、セットトップボックス（ＳＴＢ６）は、主電源２がオフでスリープ状態とする。すなわち、パワーオンライン（ＰＷ１）とホットプラグライン（ＨＯＴ１）とがアクティブで、パワーオンライン（ＰＷ２）とホットプラグライン（ＨＯＴ２）とがノンアクティブであるとする。
【００７７】
２．  次に、ユーザがあるチャンネル番組を視聴するためにセットトップボックス（ＳＴＢ６）の主電源２をオンにしたとする。セットトップボックス（ＳＴＢ６）のマイクロコンピュータ２は、端子（ＰＯＲＴ Ｓ）のパワーオンライン（ＰＷ２）をアクティブにする。
【００７８】
３．  ＴＶ受信機（ＴＶ８）のマイクロコンピュータ３は、端子（ＰＯＲＴ２）のホットプラグライン（ＨＯＴ２）をアクティブとする。この場合、ＴＶ受信機（ＴＶ８）のマイクロコンピュータ３は、同時に、スイッチ（ＳＷ１）を接点ｂ側に切り替え、端子（ＰＯＲＴ１）のホットプラグライン（ＨＯＴ１）をノンアクティブとする。
【００７９】
４．  ＤＶＤプレーヤ（ＤＶＤ５）のマイクロコンピュータ１は、端子（ＰＯＲＴ Ｄ）のホットプラグライン（ＨＯＴ１）がノンアクティブであることを検出して、主電源１をオフにして、パワーオンライン（ＰＷ１）をノンアクティブにする。なお、主電源１をオフにして、パワーオンライン（ＰＷ１）をノンアクティブにすることを任意であるが、次に、ＴＶ受信機（ＴＶ８）側にアクティブになったことを知らせるためには、パワーオンライン（ＰＷ１）をアクティブにすることの準備が必要となる。
【００８０】
５．  セットトップボックス（ＳＴＢ６）のマイクロコンピュータ２は、端子（ＰＯＲＴ Ｓ）のホットプラグライン（ＨＯＴ２）がアクティブであることを検出し、デジタルＡＶ信号の伝送を開始する。これは、ホットプラグライン（ＨＯＴ２）をアクティブにした時点で伝送を開始しても良い。
【００８１】
６．  上記ステップ１の状態から、ＴＶ受信機（ＴＶ８）側が、セットトップボックス（ＳＴＢ６）を選択する場合は、ステップ２を省略してステップ３から開始される。
【００８２】
次に、図３に示した例でのスイッチ（ＳＷ１）の切り替え動作について説明する。
【００８３】
１．  今、ＤＶＤプレーヤ（ＤＶＤ５）とＴＶ受信機（ＴＶ８）とが接続され、ＤＶＤプレーヤ（ＤＶＤ５）からの再生出力がＴＶ表示されており、セットトップボックス（ＳＴＢ６）は、主電源２がオフでスリープ状態とする。すなわち、パワーオンライン（ＰＷ３）とホットプラグライン（ＨＯＴ３）とがアクティブで、パワーオンライン（ＰＷ２）とホットプラグライン（ＨＯＴ２）とがノンアクティブであるとする。
【００８４】
２．  次に、ユーザがあるチャンネル番組を視聴するためにセットトップボックス（ＳＴＢ６）の主電源２をオンにしたとする。セットトップボックス（ＳＴＢ６）のマイクロコンピュータ２は、端子（ＰＯＲＴ Ｓ）のパワーオンライン（ＰＷ２）をアクティブにする。
【００８５】
３．  そうすると、ＤＶＤプレーヤ（ＤＶＤ５）のマイクロコンピュータ１は、端子（ＰＯＲＴ２）のパワーオンライン（ＰＷ２）がアクティブになったことを認識し、端子（ＰＯＲＴ Ｗ）のパワーオンライン（ＰＷ３）をノンアクティブとする。
【００８６】
４．  ＴＶ受信機（ＴＶ８）のマイクロコンピュータ３は、端子（ＰＯＲＴ３）のパワーオンライン（ＰＷ３）がノンアクティブに変化したことを受けて、ホットプラグライン（ＨＯＴ３）を一旦ノンアクティブとした後、再度アクティブにする。
【００８７】
５．  ＤＶＤプレーヤ（ＤＶＤ５）のマイクロコンピュータ１は、ホットプラグライン（ＨＯＴ３）が一旦ノンアクティブとなった後、再度アクティブになったことと、パワーオンライン（ＰＷ２）がアクティブであることとを認識して、端子（ＰＯＲＴ２）のホットプラグライン（ＨＯＴ２）をアクティブとする。この場合、ＤＶＤプレーヤ（ＤＶＤ５）のマイクロコンピュータ１は、同時に、スイッチ（ＳＷ１）を接点ｂ側に切り替える。
【００８８】
６．  ＤＶＤプレーヤ（ＤＶＤ５）のマイクロコンピュータ１は、主電源１をオフにする。
【００８９】
７．  セットトップボックス（ＳＴＢ６）のマイクロコンピュータ２は、端子（ＰＯＲＴ Ｓ）のホットプラグライン（ＨＯＴ２）がアクティブであることを検出し、デジタルＡＶ信号の伝送を開始する。これは、ホットプラグライン（ＨＯＴ２）をアクティブにした時点で伝送を開始しても良い。
【００９０】
８．  次に、上記ステップ７の状態から、ユーザの選択等を起因として、ＤＶＤプレーヤ（ＤＶＤ５）の主電源１がオンとなり再生を開始したとすると、上記ステップ３の処理を実行する。その後、ステップ４の処理が実行され、ステップ５では、端子（ＰＯＲＴ２）のホットプラグライン（ＨＯＴ２）をノンアクティブとなし、スイッチ（ＳＷ１）が接点ａ側に切り替えられる。
【００９１】
上記した第１の実施の形態では、ＤＶＤプレーヤ（ＤＶＤ５）及びセットトップボックス（ＳＴＢ６）のどちらかとＴＶ受信機（ＴＶ８）とが接続されて、画像表示をしている途中で、別のソース装置が起点となってそのソース装置に切り替える動作について述べたが、ＤＶＤプレーヤ（ＤＶＤ５）及びセットトップボックス（ＳＴＢ６）が停止している状態から、どちらかのソース装置が起点となって動作を開始する場合も同様に説明することができる。
【００９２】
また、ＴＶ受信機（ＴＶ８）の表示側を起点としてソースの切り替えや、主電源をオンにする手続は、例えば、図２のような接続関係である場合に、セットトップボックス（ＳＴＢ６）をオンとさせるには、ホットプラグラインやパワーオンラインだけではできず、ＴＶ受信機（ＴＶ８）側からの指示命令の通信を基本として含むことになる。図１の構成ではその限りではない。
【００９３】
これに対し、ＤＶＤプレーヤ（ＤＶＤ５）やセットトップボックス（ＳＴＢ６）のどちらかとＴＶ受信機（ＴＶ８）が再生や受信及び表示をしている途中で、ＴＶ受信機（ＴＶ８）側からそのデジタルＡＶ信号を送出しているソースの電源をオフにすることは、上記の手続の方法に含まれている。
【００９４】
上記の例のように、パワーオンラインとホットプラグラインとは、途中にマイクロコンピュータ４が介在されたとしても、あたかも素通りしたような概念での動作が行なわれるようにしている。
【００９５】
次に、図５を用いて第２の実施の形態であるデジタル映像・音声信号（以下ＡＶ信号という）の伝送を行なうためのシステム構成を説明する。
【００９６】
ＡＶ信号を送り出す装置（ソース）は、ＤＶＤプレーヤ（ＤＶＤ５）、セットトップボックス（ＳＴＢ６）であり、ＡＶ信号を受け取る装置（ソース）は、ＴＶ受信機（ＴＶ８）で、両者の間には、ＡＶ信号の切り替え及び双方向通信バスの切り替えを行なう切替器（ＳＷ１１）がある。
【００９７】
ＤＶＤプレーヤ（ＤＶＤ５）と切替器（ＳＷ１１）との間は、ＡＶ信号を伝送するデジタルＡＶライン（ＡＶ１）と、ＤＶＤプレーヤ（ＤＶＤ５）の送信状態または送信可能状態を示すパワーオンライン（ＰＷ１）と、切替器（ＳＷ１１）の受信状態または受信可能状態を示すホットプラグライン（ＨＯＴ１）と、双方向通信バス（ＢＵＳ１）とで接続されている。
【００９８】
セットトップボックス（ＳＴＢ６）と切替器（ＳＷ１１）との間は、ＡＶ信号を伝送するデジタルＡＶライン（ＡＶ２）と、セットトップボックス（ＳＴＢ６）の送信状態または送信可能状態を示すパワーオンライン（ＰＷ２）と、切替器（ＳＷ１１）の受信状態または受信可能状態を示すホットプラグライン（ＨＯＴ２）と、双方向通信バス（ＢＵＳ２）とで接続されている。
【００９９】
切替器（ＳＷ１１）とＴＶ受信機（ＴＶ８）との間は、ＡＶ信号を伝送するデジタルＡＶライン（ＡＶ３）と、切替器（ＳＷ１１）の送信状態または送信可能状態を示すパワーオンライン（ＰＷ３）と、ＴＶ受信機（ＴＶ８）の受信状態または受信可能状態を示すホットプラグライン（ＨＯＴ３）と、双方向通信バス（ＢＵＳ３）とで接続されている。
【０１００】
ＤＶＤプレーヤ（ＤＶＤ５）、セットトップボックス（ＳＴＢ６）、ＴＶ受信機（ＴＶ８）、切替器（ＳＷ１１）は、それぞれマイクロコンピュータ１，２，３，４を内蔵し、各々の装置内の状態検出と制御とを行なっているとともに、前述したそれぞれのパワーオンラインとホットプラグラインの状態を検出し、また操作制御している。同時に、双方向通信バス（ＢＵＳ１，ＢＵＳ２，ＢＵＳ３）のそれぞれと直接的あるいは間接的に接続されている。
【０１０１】
ＤＶＤプレーヤ（ＤＶＤ５）内のマイクロコンピュータ１は、パワーオンライン（ＰＷ１）のレベル状態を制御し、また、ホットプラグライン（ＨＯＴ１）のレベル状態を検出している。そして、図示しない主電源や再生処理回路１等を制御している。この主電源は、ＤＶＤプレーヤ（ＤＶＤ５）のスリープ機能部分を除いた部分に供給される電源である。
【０１０２】
ＤＶＤプレーヤ（ＤＶＤ５）内には、著作権保護のためのＳＣＲ（scramble）処理回路１や、その共通鍵を得るための認証処理回路１を含んでいる。マイクロコンピュータ１は、同時に、双方向通信バス（ＢＵＳ１）を介してＴＶ受信機（ＴＶ８）との認証処理を行なっている。
【０１０３】
ＤＶＤプレーヤ（ＤＶＤ５）内には、双方向通信バス（ＢＵＳ１）を介して入力されるＴＶ受信機（ＴＶ８）からの指示命令で、そのデータがアクセスされるＴＶ受信機（ＴＶ８）の表示特性等のデータを保持するメモリ１があり、ＴＶ受信機（ＴＶ８）側は、このメモリ１や再生処理回路１（あるいはマイクロコンピュータ１）等をアクセスする部分を含んでいる。
【０１０４】
また、ＤＶＤプレーヤ（ＤＶＤ５）では、再生処理回路１で再生され、ＳＣＲ処理回路１でスクランブル処理されたデジタルＡＶ信号を、デジタルＡＶライン（ＡＶ１）で伝送するための規定の信号形式に変換し送出するトランスミッタを介して、デジタルＡＶライン（ＡＶ１）に送出しているが、このトランスミッタについては記載を省いている。
【０１０５】
セットトップボックス（ＳＴＢ６）内のマイクロコンピュータ２は、パワーオンライン（ＰＷ２）のレベル状態を制御し、ホットプラグライン（ＨＯＴ２）のレベルを検出している。そして、図示しない主電源や受信処理回路２等を制御している。この主電源は、セットトップボックス（ＳＴＢ６）のスリープ機能部分を除いた部分に供給される電源である。
【０１０６】
セットトップボックス（ＳＴＢ６）内には、著作権保護のためのＳＣＲ処理回路２や、その共通鍵を得るための認証処理回路２を含んでいる。マイクロコンピュータ２は、同時に、双方向通信バス（ＢＵＳ２）を介してＴＶ受信機（ＴＶ８）との認証処理を行なっている。
【０１０７】
セットトップボックス（ＳＴＢ６）内には、双方向通信バス（ＢＵＳ２）を介して入力されるＴＶ受信機（ＴＶ８）からの指示命令で、そのデータがアクセスされるＴＶ受信機（ＴＶ８）の表示特性等のデータを保持するメモリ２があり、ＴＶ受信機（ＴＶ８）側は、このメモリ２や受信処理回路２（あるいはマイクロコンピュータ２）等をアクセスする部分を含んでいる。
【０１０８】
また、セットトップボックス（ＳＴＢ６）では、受信処理回路２で受信され、ＳＣＲ処理回路２でスクランブル処理されたデジタルＡＶ信号を、デジタルＡＶライン（ＡＶ２）で伝送するための規定の信号形式に変換し送出するトランスミッタを介して、デジタルＡＶライン（ＡＶ２）に送出しているが、このトランスミッタについては記載を省いている。
【０１０９】
切替器（ＳＷ１１）は、ＤＶＤプレーヤ（ＤＶＤ５）のデジタルＡＶライン（ＡＶ１）とセットトップボックス（ＳＴＢ６）のデジタルＡＶライン（ＡＶ２）とを選択するスイッチ（ＳＷ１）と、ＤＶＤプレーヤ（ＤＶＤ５）の双方向通信バス（ＢＵＳ１）とセットトップボックス（ＳＴＢ６）の双方向通信バス（ＢＵＳ２）とを選択するスイッチ（ＳＷ２）とを備えている。
【０１１０】
切替器（ＳＷ１１）は、マイクロコンピュータ４を内蔵しており、ＤＶＤプレーヤ（ＤＶＤ５）、セットトップボックス（ＳＴＢ６）、ＴＶ受信機（ＴＶ８）とそれぞれ接続されたパワーオンライン（ＰＷ１，ＰＷ２）やホットプラグライン（ＨＯＴ３）の状態を検出し、パワーオンライン（ＰＷ３）やホットプラグライン（ＨＯＴ１，ＨＯＴ２）の状態を制御し、スイッチ（ＳＷ１，ＳＷ２）を切り替えてデジタルＡＶライン（ＡＶ３）にデータを送出し、双方向通信バス（ＢＵＳ３）との双方向通信相手（ＢＵＳ１またはＢＵＳ２）を選択している。
【０１１１】
ＴＶ受信機（ＴＶ８）内のマイクロコンピュータ３は、パワーオンライン（ＰＷ３）の状態を検出し、ホットプラグライン（ＨＯＴ３）を制御している。また、このマイクロコンピュータ３は、表示特性あるいは能力をコード化したデータを保存するメモリ３（これはマイクロコンピュータ３に内蔵されている場合もある）のデータを読み取り、双方向通信バス（ＢＵＳ３）を介して、ＤＶＤプレーヤ（ＤＶＤ５）のメモリ１あるいはセットトップボックス（ＳＴＢ６）のメモリ２に対して、書き込みや読み出しを行なっている。
【０１１２】
さらに、このマイクロコンピュータ３は、ユーザの指示を受けユーザに状態表示する操作ＩＦ（interface）３からの指示を受けて、双方向通信バス（ＢＵＳ３）を介して、ＤＶＤプレーヤ（ＤＶＤ５）のメモリ１、再生処理回路１、マイクロコンピュータ１自体、セットトップボックス（ＳＴＢ６）のメモリ２、受信処理回路２、マイクロコンピュータ２自体、切替器（ＳＷ１１）等に、その指示に対応するコードデータの書き込み及び読み出しを行なう。
【０１１３】
ＴＶ受信機（ＴＶ８）内には、著作権保護のためのＳＣＲ処理回路３や、その共通鍵を得るための認証処理回路３を含んでいる。この認証処理回路３は、ＡＶ信号のソース側であるＤＶＤプレーヤ（ＤＶＤ５）のマイクロコンピュータ１や、セットトップボックス（ＳＴＢ６）のマイクロコンピュータ２がマスターとなって制御している。
【０１１４】
なお、ＴＶ受信機（ＴＶ８）内には、画像表示を行なうための表示処理回路３も備えられている。
【０１１５】
先に述べた図１や図３に対応する構成が図５の構成で網羅されていることは、図１から図３及び図４での説明で明らかであるので、記載説明を省略する。また切替器（ＳＷ１１）としては１階層のみ示し、ソースとしては２種を示したが、これに限定されるものではない。
【０１１６】
ここで、図６を用いて、図５に示した例での切替器（ＳＷ１１）の切り替え動作について説明する。
【０１１７】
１．  今、ＤＶＤプレーヤ（ＤＶＤ５）とＴＶ受信機（ＴＶ８）とが切替器（ＳＷ１１）を介して接続され、ＤＶＤプレーヤ（ＤＶＤ５）からの再生出力がＴＶ表示されており、セットトップボックス（ＳＴＢ６）は、主電源がオフでスリープ状態とする。すなわち、パワーオンライン（ＰＷ１）とパワーオンライン（ＰＷ３）、ホットプラグライン（ＨＯＴ１）とホットプラグライン（ＨＯＴ３）とがアクティブで、パワーオンライン（ＰＷ２）とホットプラグライン（ＨＯＴ２）とがノンアクティブであるとする。
【０１１８】
２．  次に、ユーザがあるチャンネル番組を視聴するためにセットトップボックス（ＳＴＢ６）の主電源をオンにしたとする。図６では、端子（ＰＯＲＴ２）のパワーオンライン（ＰＷ２）がアクティブになる。
【０１１９】
３．  そうすると、切替器（ＳＷ１１）のマイクロコンピュータ４は、端子（ＰＯＲＴ２）のパワーオンライン（ＰＷ２）がアクティブになったことを認識し、端子（ＰＯＲＴ Ｗ）のパワーオンライン（ＰＷ３）をノンアクティブとする。
【０１２０】
４．  ＴＶ受信機（ＴＶ８）のマイクロコンピュータ３は、端子（ＰＯＲＴ Ｗ）のパワーオンライン（ＰＷ３）がノンアクティブに変化したことを受けて、ホットプラグライン（ＨＯＴ３）を一旦ノンアクティブとした後、再度アクティブにする。
【０１２１】
５．  切替器（ＳＷ１１）のマイクロコンピュータ４は、ホットプラグライン（ＨＯＴ３）が一旦ノンアクティブとなった後、再度アクティブになったことを認識して、端子（ＰＯＲＴ２）のホットプラグライン（ＨＯＴ２）をアクティブとする。この場合、切替器（ＳＷ１１）のマイクロコンピュータ４は、パワーオンライン（ＰＷ２）がアクティブになっているので、パワーオンライン（ＰＷ３）をアクティブにすると同時に、スイッチ（ＳＷ２）を接点ｂ側に切り替える。
【０１２２】
６．  ＴＶ受信機（ＴＶ８）のマイクロコンピュータ３は、パワーオンライン（ＰＷ３）が変化したことを受けて、ＴＶ受信機（ＴＶ８）側からソースに向けて双方向通信バス（ＢＵＳ３）を介して、ソース側のメモリ２にアクセスする。この通信では、メモリ３に記載されている表示能力のデータがメモリ２に書き込まれているか否かの検査と、書き込まれていない場合には、メモリ３に記載されている表示能力のデータをメモリ２に書き込む動作とを行なう。この表示側からソース側への表示側をマスターとした通信を行なうこと自体は、プロトコルのルールとして規定する必要がある。これを第１フェースと称する。
【０１２３】
７．  ＴＶ受信機（ＴＶ８）のマイクロコンピュータ３は、上記ソース側のメモリ２の検査や表示能力データの書き込みが終了したら、ホットプラグライン（ＨＯＴ３）を再びノンアクティブにする。
【０１２４】
８．  切替器（ＳＷ１１）のマイクロコンピュータ４は、ホットプラグライン（ＨＯＴ３）がノンアクティブとなったことを検出して、端子（ＰＯＲＴ２）のホットプラグライン（ＨＯＴ２）をノンアクティブにする。
【０１２５】
９．  セットトップボックス（ＳＴＢ６）のマイクロコンピュータ２は、ホットプラグライン（ＨＯＴ２）がノンアクティブに変わったことを検出して、上記ステップ６で書き込まれたメモリ２の表示能力データに合わせて受信処理回路２の処置を行なった後、パワーオンライン（ＰＷ２）をノンアクティブとする。
【０１２６】
１０．  切替器（ＳＷ１１）のマイクロコンピュータ４は、パワーオンライン（ＰＷ２）がノンアクティブとなったことを検出して、パワーオンライン（ＰＷ３）をノンアクティブにする。
【０１２７】
１１．  ＴＶ受信機（ＴＶ８）のマイクロコンピュータ３は、端子（ＰＯＲＴ３）のパワーオンライン（ＰＷ３）がノンアクティブになったことを受けて、再度、ホットプラグライン（ＨＯＴ３）をアクティブにする。
【０１２８】
１２．  切替器（ＳＷ１１）のマイクロコンピュータ４は、ホットプラグライン（ＨＯＴ３）がアクティブになったことを検出して、ホットプラグライン（ＨＯＴ２）をアクティブにし、ホットプラグライン（ＨＯＴ１）をノンアクティブにするとともに、スイッチ（ＳＷ１）を接点ｂ側に切り替える。
【０１２９】
１３．  セットトップボックス（ＳＴＢ６）のマイクロコンピュータ２は、ホットプラグライン（ＨＯＴ２）がアクティブになったことを検出して、パワーオンライン（ＰＷ２）をアクティブにするとともに、ＴＶ受信機（ＴＶ８）の認証処理回路３との認証手続を実行する。これ以降は、これらの規定例に従いセットトップボックス（ＳＴＢ６）が制御のマスターとなる。このソース側から表示側へのソース側をマスターとした通信を行なうこと自体及び認証処理を行なうことは、プロトコルのルールとして規定する必要がある。これを第２フェースと称する。
【０１３０】
１４．  切替器（ＳＷ１１）のマイクロコンピュータ４は、パワーオンライン（ＰＷ２）がアクティブになったことを検出して、パワーオンライン（ＰＷ３）をアクティブにする。
【０１３１】
１５．  ＤＶＤプレーヤ（ＤＶＤ５）のマイクロコンピュータ１は、ホットプラグライン（ＨＯＴ１）がノンアクティブになったことを受けてパワーオンライン（ＰＷ１）をノンアクティブとし、ＡＶ信号の送出を停止する。また、主電源を切る等の処理を行なう。
【０１３２】
先に述べた従来例２では、表示装置の表示能力を保持したメモリ３に相当するメモリを、セットトップボックス（ＳＴＢ６）のマイクロコンピュータ２に相当する制御器がマスターとなってアクセスし、受信処理回路２のパラメータ設定を行なっているのに対し、上記した第２の実施の形態では、セットトップボックス（ＳＴＢ６）のメモリ２に書き込まれるのは、セットトップボックス（ＳＴＢ６）とＴＶ受信機（ＴＶ８）とが接続されて最初の手続のときだけであるため、手続時間が短くて済むという効果の他に、セットトップボックス（ＳＴＢ６）は、ＡＶ信号を送出する前に表示装置側の表示能力を調べておくことができるので、受信処理回路２の設定を事前に決定できるので受信処理の応答が速くできる特徴を持っている。
【０１３３】
図７は、このような表示能力を示すデータの書き込まれたメモリ３のデータフォーマットを示している。なお、他のメモリ１，２のデータフォーマットは、メモリ３と同様であるため、その説明を省略する。
【０１３４】
すなわち、メモリ３の最初の番地には、表示装置のユニークなＩＤ（identify）が記録される。次に、映像信号のフォーマットを表わすコードが書き込まれる。例えば、水平画素数７２０／垂直ライン数４８０／３０Ｈｚインターレース、水平画素数７２０／垂直ライン数４８０／６０Ｈｚプログレッシブや、水平画素数１９２０／垂直ライン数１０８０／３０Ｈｚインターレース等、映像信号のフォーマットを示すコードが記録される。
【０１３５】
また、最後には、音声信号のフォーマットを表わすコードが書き込まれる。例えば、リニアＰＣＭ（Pulse Code Modulation）２ＣＨ（channel）か６ＣＨか、サンプリング周波数は４８ｋＨｚか４４．１ｋＨｚか、サンプルデータのビット長は１６ビットか２０ビットか２４ビットか等を示すコードが、映像信号のフォーマットを示すコードと合わせて書き込まれる。
【０１３６】
ＴＶ受信機（ＴＶ８）は、セットトップボックス（ＳＴＢ６）のメモリ２の最初の番地の表示装置のユニークなＩＤを読み出して、自分のメモリ３のユニークＩＤと照合する。一致していれば、上記ステップ６の書き込みを省略して次の処理を実行する。
【０１３７】
一方、セットトップボックス（ＳＴＢ６）は、メモリ２に書き込んである表示能力のデータを基に、受信処理回路２のパラメータを設定しておき、ＩＤを別に保持しておく。そして、上記ステップ９で書き込みが終わった時点で、そのＩＤを見比べて同じならば、受信処理回路２のパラメータの再度の設定を省略することができ、ＩＤが変わっていれば、パラメータを再設定する。
【０１３８】
次に、図５に示す構成での、図６に示す初期手続が終了した後、今、ＤＶＤプレーヤ（ＤＶＤ５）とＴＶ受信機（ＴＶ８）とが切替器（ＳＷ１１）を介して接続されて、ＤＶＤプレーヤ（ＤＶＤ５）からの再生出力がＴＶ表示されている状態で、ＤＶＤプレーヤ（ＤＶＤ５）のマイクロコンピュータ１によって、認証処理回路１とＴＶ受信機（ＴＶ８）の認証処理回路３との間での認証処理が終了し共通のキーが発生される。
【０１３９】
そのキーを用いて、ＤＶＤプレーヤ（ＤＶＤ５）のＳＣＲ処理回路１によってスクランブルされたＡＶ信号は、そのキーを用いて、ＴＶ受信機（ＴＶ８）のＳＣＲ処理回路３によってデスクランブルされる準備が整う。この共通キーの計算は、ある規定時間に終了してしまわねばならない（プロトコル第２フェーズ）。
【０１４０】
そのスクランブル開始の同期信号としては、映像信号の水平同期信号や垂直同期信号等と同様に、映像信号のフレームに合わせて規定されているスクランブル同期信号がある。ＤＶＤプレーヤ（ＤＶＤ５）のマイクロコンピュータ１によって、ＳＣＲ処理回路１のスクランブル開始を指示すると、ＳＣＲ処理回路１は上記スクランブル同期信号を起動し、次のＡＶ信号のフレームからスクランブルを開始する。
【０１４１】
ＴＶ受信機（ＴＶ８）のＳＣＲ処理回路３は、そのＡＶ信号フレーム中のスクランブル同期信号を観測して、次のＡＶ信号フレームからスクランブルを開始する。
【０１４２】
以降、ＤＶＤプレーヤ（ＤＶＤ５）のマイクロコンピュータ１は、定期的に、ＤＶＤプレーヤ（ＤＶＤ５）のＳＣＲ処理回路１のスクランブルキーと、ＴＶ受信機（ＴＶ８）のＳＣＲ処理回路３のデスクランブルキーとが一致しているか否かを検査している。
【０１４３】
スクランブルキー／デスクランブルキー自体は秘密であるので、ＤＶＤプレーヤ（ＤＶＤ５）のマイクロコンピュータ１が直接その値を読み出すことはできないが、ＳＣＲ処理回路１，３が間接的な値を出してくれるので、ＤＶＤプレーヤ（ＤＶＤ５）のマイクロコンピュータ１はそれを読み出して比較する。
【０１４４】
ここでのポイントは、ソース側のマイクロコンピュータは、スクランブル／デスクランブルの位相が一致しているか否かを定期的に認証処理を行ない、双方向通信バスを占有することである。
【０１４５】
他方で、ユーザがＴＶ受信機（ＴＶ８）の操作ＩＦ３を通して、ＤＶＤプレーヤ（ＤＶＤ５）の簡単な操作をできるように、ＴＶ受信機（ＴＶ８）のマイクロコンピュータ３に機能を盛り込むとき、この双方向通信バスを利用してＤＶＤプレーヤ（ＤＶＤ５）のマイクロコンピュータ１や再生処理回路１をアクセスしたいが、マイクロコンピュータ１，３の双方向通信バス使用の競合が発生する。
【０１４６】
このため、バスの調停を行なうが、一般のバス調停では、相手の通信が終わるまでバスを開放することはなく、上述したような共通キーを得るための認証を規定時間以内に終了させることができるか否か、または、上述したような定期的な処理に悪影響を及ぼさないか否かが、他のポイントである。これがプロトコルの第３フェーズとなる。
【０１４７】
図８は、上記第３フェーズのプロトコル概要を説明している。
【０１４８】
１．  今、ＤＶＤプレーヤ（ＤＶＤ５）とＴＶ受信機（ＴＶ８）とが切替器（ＳＷ１１）を介して接続されて、ＤＶＤプレーヤ（ＤＶＤ５）のマイクロコンピュータ１によって、スクランブルキー／デスクランブルキーが一致しているか否かの検証が定期的になされているものとする。
【０１４９】
図８に示す端子（ＰＯＲＴ１）のデジタルＡＶライン（ＡＶ１）からは、ＡＶ信号がＦ１，Ｆ２，Ｆ３，……と映像信号のフレーム単位で送出されていることを示している。このフレーム単位のＡＶ信号は、ＴＶ受信機（ＴＶ８）の端子（ＰＯＲＴ３）のデジタルＡＶライン（ＡＶ３）を伝送される。
【０１５０】
セットトップボックス（ＳＴＢ６）も、端子（ＰＯＲＴ２）のデジタルＡＶライン（ＡＶ２）から、ＡＶ信号をＧ１，Ｇ２，Ｇ３，……と映像信号のフレーム単位で送出しているかもしれないが、ＤＶＤプレーヤ（ＤＶＤ５）の送出しているＦ１，Ｆ２，Ｆ３，……なる映像信号のフレームとは、位相も周波数も一致していない。
【０１５１】
２．  ＤＶＤプレーヤ（ＤＶＤ５）のマイクロコンピュータ１によってスクランブルキー／デスクランブルキーが一致しているか否かの定期的検証を、Ｆ１，Ｆ２，Ｆ３，Ｆ４の各ＡＶ信号フレームで行ない、Ｆ５，Ｆ６，Ｆ７，Ｆ８の各ＡＶ信号フレームでは、ＴＶ受信機（ＴＶ８）のマイクロコンピュータ３が操作ＩＦ３からのユーザ操作に伴なう命令等を、ＤＶＤプレーヤ（ＤＶＤ５）に送出する。
【０１５２】
また、Ｆ９，Ｆ１０，Ｆ１１，Ｆ１２の各ＡＶ信号フレームは、ＴＶ受信機（ＴＶ８）のマイクロコンピュータ３が操作ＩＦ３からのユーザ操作に伴なう他のソース機器の命令等の区間とする。
【０１５３】
３．  図５に戻って、ＤＶＤプレーヤ（ＤＶＤ５）のマイクロコンピュータ１によってＳＣＲ処理回路１のスクランブル開始が指示されると、ＳＣＲ処理回路１は前記スクランブル同期信号を起動し次のＡＶ信号のフレームからスクランブルを開始するが、上述したＡＶ信号フレームの位相は、その開始を起点としてＳＣＲ処理回路１にてフレームのカウント値（Ｎ１）が計算され、また、ＴＶ受信機（ＴＶ８）のＳＣＲ処理回路３は、そのＡＶ信号フレーム中のスクランブル同期信号を観測して、次のＡＶ信号フレームからスクランブルを開始するが、上述したＡＶ信号フレームの位相は、その開始を起点としてＳＣＲ処理回路３にてフレームのカウント値（Ｎ３）が計算される。
【０１５４】
４．  ＤＶＤプレーヤ（ＤＶＤ５）のマイクロコンピュータ１は、フレームのカウント値（Ｎ１）を観測し、ＴＶ受信機（ＴＶ８）のマイクロコンピュータ３は、フレームのカウント値（Ｎ３）を観測するだけで、上記例での３つの双方向通信バス（ＢＵＳ１，ＢＵＳ２，ＢＵＳ３）の利用法を区間で分離することができる（プロトコルの第３フェーズ）。
【０１５５】
これにより、双方向通信バスの調整をなすことができ、任意でバスを利用して調停を行なった場合に見られるような処理の後れは発生せず、規定の認証処理を始め、定期的な検査の処理も確実に行なうことが可能となる。
【０１５６】
上記した第２の実施の形態では、ＡＶ信号を送出しそれを受けているソース機器（上記例ではＤＶＤ５）と、受信機器（上記例ではＴＶ８）との間の双方向通信バスでの通信以外に、受信機器からＡＶ信号を送出していない、あるいは、送出していても受信装置が受けていないソース機器への双方向通信バスを用いた通信は、上記に述べた以外に、ＡＶ信号ソース側までのスイッチ（ＳＷ２）の階層を知り、そのスイッチを制御して適応的となるソース機器を制御するための、別のプロトコルが必要で技術的には可能であるが、その方法の説明は省略する。
【０１５７】
しかしながら、ＡＶ信号の伝送方向とは逆方向のＡＶ信号ソース側までのスイッチ（ＳＷ２）の階層を知り得なければ、この第２の実施の形態が無効となるわけではない。
【０１５８】
また、第１のプロトコル部分と第２のプロトコル部分との分離／区別は、パワーオンラインとホットプラグラインの変化する時点までの周期の違いで判定可能である。すなわち、パワーオンラインやホットプラグラインの変化を起点として、次のパワーオンラインやホットプラグラインの変化までの時間間隔を観測して規定時間以上ならば次の変化は第１のプロトコルと判定できるし、これに限定するものではなく、その詳細説明は省略する。
【０１５９】
なお、この発明は上記した各実施の形態に限定されるものではなく、この外その要旨を逸脱しない範囲で種々変形して実施することができる。
【０１６０】
【発明の効果】
以上詳述したようにこの発明によれば、画像表示機能を有する機器を含む複数のＡＶ機器を接続し、画像表示機能を有するＡＶ機器と他のＡＶ機器との相互間で電源やデータ転送等を制御可能として、ユーザの利便性を向上させ得るようにした極めて良好なデジタルＡＶ伝送線路で結合されたデジタルＡＶ装置及びその制御方法を提供することができる。
【図面の簡単な説明】
【図１】この発明の第１の実施の形態を示すもので、デジタルＡＶ信号の伝送を行なうシステムを説明するために示すブロック構成図。
【図２】同第１の実施の形態におけるデジタルＡＶ信号の伝送を行なうシステムの変形例を説明するために示すブロック構成図。
【図３】同第１の実施の形態におけるデジタルＡＶ信号の伝送を行なうシステムの他の変形例を説明するために示すブロック構成図。
【図４】同第１の実施の形態における図２に示した変形例での切替器（ＳＷ１１）の切り替え動作を説明するために示す図。
【図５】この発明の第２の実施の形態を示すもので、デジタルＡＶ信号の伝送を行なうシステムを説明するために示すブロック構成図。
【図６】同第２の実施の形態における切替器（ＳＷ１１）の切り替え動作を説明するために示す図。
【図７】同第２の実施の形態における表示能力を示すデータの書き込まれたメモリのデータフォーマットを説明するために示す図。
【図８】同第２の実施の形態における第３フェーズのプロトコル概要を説明するために示す図。
【図９】従来例１に係る自動入力切換回路を説明するために示す回路構成図。
【図１０】従来例２に係るディスプレイシステム及びディスプレイ装置を説明するために示すブロック構成図。
【図１１】従来例３に係る双方向テレビジョン受信装置を説明するために示すブロック構成図。
【図１２】従来例４に係る共通コネクターを具えた電子機器を説明するために示すブロック構成図。
【符号の説明】
ＤＶＤ５…ＤＶＤプレーヤ、
ＳＴＢ６…セットトップボックス、
ＴＶ８…ＴＶ受信機、
ＳＷ１１…切替器。
【図１】
0004037630.tif 000002
【図２】
0004037630.tif 000003
【図３】
0004037630.tif 000004
【図４】
0004037630.tif 000005
【図５】
0004037630.tif 000006
【図６】
0004037630.tif 000007
【図７】
0004037630.tif 000008
【図８】
0004037630.tif 000009
【図９】
0004037630.tif 000010
【図１０】
0004037630.tif 000011
【図１１】
0004037630.tif 000012
【図１２】
0004037630.tif 000013